(57)【特許請求の範囲】
【請求項１】
電力供給手段と、前記電力供給手段に接続された複数の負荷とを備える電力管理システムであって、
前記複数の負荷に含まれる所定の負荷に対して第１電力が供給される第１期間及び前記所定の負荷に対して前記第１電力よりも低い第２電力が供給される第２期間が定められており、
前記複数の負荷のそれぞれには、優先順位が割当てられており、
前記複数の負荷に含まれる所定の負荷を複数のグループに分類する分類部と、
前記複数のグループのそれぞれに割当てられる時間間隔において、前記電力供給手段から供給される電力が、前記複数のグループのそれぞれに属する前記所定の負荷に優先的に供給されるように、前記電力供給手段及び前記複数の負荷のうち少なくとも一方を時分割で制御する制御部と、
前記第１期間の長さ及び前記第２期間の長さに基づいて、前記分類部によって分類されるグループの数を決定する決定部と、
前記複数の負荷の中から、前記優先順位に基づいて、前記所定の負荷を選択する選択部とを備え、
前記分類部は、前記時間間隔において消費される電力が所定閾値を超えないように、前記所定の負荷を前記複数のグループに分類することを特徴とする電力管理システム。
【請求項２】
前記電力供給手段は、前記電力供給手段が電力系統から解列された自立運転状態において、前記複数の負荷に電力を供給可能な自立型電力供給手段であり、
前記所定閾値は、前記電力供給手段によって供給可能な電力によって定められることを特徴とする請求項１に記載の電力管理システム。
【請求項３】
複数の需要家によって構成される需要家集合に対する、電力供給手段からの電力供給を制御する電力制御装置であって、
前記複数の需要家を複数のグループに分類する分類部と、
前記複数のグループのそれぞれに割当てられる時間間隔において、前記電力供給手段から供給される電力が、前記複数のグループのそれぞれに属する需要家に優先的に供給されるように、前記電力供給手段からの供給電力及び前記需要家における電力消費のうち少なくとも一方を時分割で制御する制御部とを備え、
前記分類部は、前記複数の需要家のうち、人が存在していない需要家を考慮して、前記時間間隔において消費される電力が所定閾値を超えないように、前記複数の需要家を前記複数のグループに分類することを特徴とする電力制御装置。
【請求項４】
複数の需要家によって構成される需要家集合に対する、電力供給手段からの電力供給を制御する電力制御装置であって、
前記複数の需要家を複数のグループに分類する分類部と、
前記複数のグループのそれぞれに割当てられる時間間隔において、前記電力供給手段から供給される電力が、前記複数のグループのそれぞれに属する需要家に優先的に供給されるように、前記電力供給手段からの供給電力及び前記需要家における電力消費のうち少なくとも一方を時分割で制御する制御部とを備え、
前記分類部は、前記複数の需要家の電力消費パターンに基づいて、前記時間間隔において消費される電力が所定閾値を超えないように、前記複数の需要家を前記複数のグループに分類することを特徴とする電力制御装置。
【請求項５】
前記需要家に対して第１電力が供給される第１期間及び前記需要家に対して前記第１電力よりも低い第２電力が供給される第２期間が定められており、
前記第１期間の長さ及び前記第２期間の長さに基づいて、前記分類部によって分類されるグループの数を決定する決定部をさらに備えることを特徴とする請求項３又は４に記載の電力制御装置。
【請求項６】
前記複数の需要家には、電力を供給すべき所定の負荷が設けられており、
前記複数の負荷のそれぞれには、優先順位が割当てられており、
前記複数の負荷の中から、前記優先順位に基づいて、前記所定の負荷を選択する選択部を備えることを特徴とする請求項３乃至５の何れか一項に記載の電力制御装置。
【請求項７】
複数の負荷に対する電力供給手段からの電力供給を制御する電力制御装置であって、
前記複数の負荷に含まれる所定の負荷に対して第１電力が供給される第１期間及び前記所定の負荷に対して前記第１電力よりも低い第２電力が供給される第２期間が定められており、
前記複数の負荷のそれぞれには、優先順位が割当てられており、
前記複数の負荷に含まれる所定の負荷を複数のグループに分類する分類部と、
前記複数のグループのそれぞれに割当てられる時間間隔において、前記電力供給手段から供給される電力が、前記複数のグループのそれぞれに属する前記所定の負荷に優先的に供給されるように、前記電力供給手段及び前記複数の負荷のうち少なくとも一方を時分割で制御する制御部と、
前記第１期間の長さ及び前記第２期間の長さに基づいて、前記分類部によって分類されるグループの数を決定する決定部と、
前記複数の負荷の中から、前記優先順位に基づいて、前記所定の負荷を選択する選択部とを備え、
前記分類部は、前記時間間隔において消費される電力が所定閾値を超えないように、前記複数の負荷を前記複数のグループに分類することを特徴とする電力制御装置。
【発明の詳細な説明】
【技術分野】
【０００１】
本発明は、電力供給手段と、電力供給手段に接続された複数の負荷とを備える電力管理システム及び電力供給手段の電力供給を制御する制御装置に関する。
【背景技術】
【０００２】
従来、太陽電池に代表される電力供給手段と電力系統との間の連系を制御する電力制御装置（以下、ＥＭＳ：Ｅｎｅｒｇｙ  Ｍａｎａｇｅｍｅｎｔ  Ｓｙｓｔｅｍ）が知られている。このようなＥＭＳは、電力供給手段によって供給される供給電力を電力系統側に出力する制御（逆潮流制御）などを行う。
【０００３】
また、電力供給手段が電力系統から解列された状態（以下、自立運転状態）において、電力供給手段に接続された負荷の消費電力が電力供給手段によって供給される供給電力を上回らないように、負荷の消費電力を制御する技術が提案されている（例えば、特許文献１）。
【０００４】
具体的には、複数の負荷のそれぞれに優先順位が対応付けられており、消費電力が供給電力を上回らないように、電力供給手段に接続すべき負荷が優先順位に基づいて選択される。
【先行技術文献】
【特許文献】
【０００５】
【特許文献１】特開２００６−１７７７６４号公報
【発明の概要】
【発明が解決しようとする課題】
【０００６】
しかしながら、上述した技術では、優先順位が高い負荷でも、電力供給手段から電力が供給されることがないケースが考えられる。従って、様々な不都合が生じる可能性がある。
【０００７】
例えば、電力供給手段から供給される電力が著しく少ない場合には、優先順位が高い負荷（例えば、冷蔵庫）に対しても電力が供給されないケースが考えられる。
【０００８】
特に、複数の需要家によって構成される需要家集合（例えば、マンションなどの集合住宅）などにおいて、全需要家に対して十分な電力を供給することができない場合には、全住戸について、優先順位が高い負荷の消費電力を賄えないケースが考えられる。
【０００９】
そこで、本発明は、上述した課題を解決するためになされたものであり、供給電力が制限された状態であっても、優先順位が高い負荷に電力が全く供給されない状況を回避することを可能とする電力管理システム及び電力制御装置を提供することを目的とする。
【課題を解決するための手段】
【００１０】
第１の特徴に係る電力管理システムは、電力供給手段と、前記電力供給手段に接続された複数の負荷とを備える。電力管理システムにおいて、前記複数の負荷に含まれる所定の負荷に対して第１電力が供給される第１期間及び前記所定の負荷に対して前記第１電力よりも低い第２電力が供給される第２期間が定められており、前記複数の負荷のそれぞれには、優先順位が割当てられている。電力管理システムは、前記複数の負荷に含まれる所定の負荷を複数のグループに分類する分類部と、前記複数のグループのそれぞれに割当てられる時間間隔において、前記電力供給手段から供給される電力が、前記複数のグループのそれぞれに属する前記所定の負荷に優先的に供給されるように、前記電力供給手段及び前記複数の負荷のうち少なくとも一方を時分割で制御する制御部と、前記第１期間の長さ及び前記第２期間の長さに基づいて、前記分類部によって分類されるグループの数を決定する決定部と、前記複数の負荷の中から、前記優先順位に基づいて、前記所定の負荷を選択する選択部とを備える。前記分類部は、前記時間間隔において消費される電力が所定閾値を超えないように、前記所定の負荷を前記複数のグループに分類する。
【００１１】
第１の特徴において、前記電力供給手段は、前記電力供給手段が電力系統から解列された自立運転状態において、前記複数の負荷に電力を供給可能な自立型電力供給手段である。前記所定閾値は、前記電力供給手段によって供給可能な電力によって定められる。
【００１４】
第２の特徴に係る電力制御装置は、複数の需要家によって構成される需要家集合に対する、電力供給手段からの電力供給を制御する。電力制御装置は、前記複数の需要家を複数のグループに分類する分類部と、前記複数のグループのそれぞれに割当てられる時間間隔において、前記電力供給手段から供給される電力が、前記複数のグループのそれぞれに属する需要家に優先的に供給されるように、前記電力供給手段からの供給電力及び前記需要家における電力消費のうち少なくとも一方を時分割で制御する制御部とを備える。前記分類部は、前記複数の需要家のうち、人が存在していない需要家を考慮して、前記時間間隔において消費される電力が所定閾値を超えないように、前記複数の需要家を前記複数のグループに分類する。
【００１６】
第３の特徴に係る電力制御装置は、複数の需要家によって構成される需要家集合に対する、電力供給手段からの電力供給を制御する。電力制御装置は、前記複数の需要家を複数のグループに分類する分類部と、前記複数のグループのそれぞれに割当てられる時間間隔において、前記電力供給手段から供給される電力が、前記複数のグループのそれぞれに属する需要家に優先的に供給されるように、前記電力供給手段からの供給電力及び前記需要家における電力消費のうち少なくとも一方を時分割で制御する制御部とを備える。前記分類部は、前記複数の需要家の電力消費パターンに基づいて、前記時間間隔において消費される電力が所定閾値を超えないように、前記複数の需要家を前記複数のグループに分類する。
【００１７】
第２の特徴又は第３の特徴において、前記需要家に対して第１電力が供給される第１期間及び前記需要家に対して前記第１電力よりも低い第２電力が供給される第２期間が定められる。電力制御装置は、前記第１期間の長さ及び前記第２期間の長さに基づいて、前記分類部によって分類されるグループの数を決定する決定部をさらに備える。
【００１８】
第２の特徴又は第３の特徴において、前記複数の需要家には、所定の負荷が設けられる。前記複数の負荷のそれぞれには、優先順位が割当てられる。電力制御装置は、前記複数の負荷の中から、前記優先順位に基づいて、前記所定の負荷を選択する選択部を備える。
【００１９】
第４の特徴に係る電力制御装置は、複数の負荷に対する電力供給手段からの電力供給を制御する。電力制御装置において、前記複数の負荷に含まれる所定の負荷に対して第１電力が供給される第１期間及び前記所定の負荷に対して前記第１電力よりも低い第２電力が供給される第２期間が定められており、前記複数の負荷のそれぞれには、優先順位が割当てられている。電力制御装置は、前記複数の負荷に含まれる所定の負荷を複数のグループに分類する分類部と、前記複数のグループのそれぞれに割当てられる時間間隔において、前記電力供給手段から供給される電力が、前記複数のグループのそれぞれに属する前記所定の負荷に優先的に供給されるように、前記電力供給手段及び前記複数の負荷のうち少なくとも一方を時分割で制御する制御部と、前記第１期間の長さ及び前記第２期間の長さに基づいて、前記分類部によって分類されるグループの数を決定する決定部と、前記複数の負荷の中から、前記優先順位に基づいて、前記所定の負荷を選択する選択部とを備える。前記分類部は、前記時間間隔において消費される電力が所定閾値を超えないように、前記複数の負荷を前記複数のグループに分類する。
【発明の効果】
【００２０】
本発明によれば、供給電力が制限された状態であっても、優先順位が高い負荷に電力が全く供給されない状況を回避することを可能とする電力管理システム及び電力制御装置を提供することができる。
【図面の簡単な説明】
【００２１】
【図１】図１は、第１実施形態に係る電力管理システム１００を示す図である。
【図２】図２は、第１実施形態に係る需要家１０を示す図である。
【図３】図３は、第１実施形態に係る制御装置６００を示すブロック図である。
【図４】図４は、第１実施形態に係るグループの分類例を説明するための図である。
【図５】図５は、第１実施形態に係るグループの分類例を説明するための図である。
【図６】図６は、第２実施形態に係るグループの分類例を説明するための図である。
【図７】図７は、第２実施形態に係るグループの分類例を説明するための図である。
【図８】図８は、変更例１に係る制御装置６００を示すブロック図である。
【図９】図９は、変更例１に係る優先順位を説明するための図である。
【図１０】図１０は、変更例１に係るグループの分類例を説明するための図である。
【発明を実施するための形態】
【００２２】
以下において、本発明の実施形態に係る電力管理システムについて、図面を参照しながら説明する。なお、以下の図面の記載において、同一又は類似の部分には、同一又は類似の符号を付している。
【００２３】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２４】
［実施形態の概要］
実施形態に係る電力管理システムは、電力供給手段と、前記電力供給手段に接続された複数の負荷とを備える。電力管理システムは、前記複数の負荷に含まれる所定の負荷を複数のグループに分類する分類部と、前記複数のグループのそれぞれに割当てられる時間間隔において、前記電力供給手段から供給される電力が前記複数のグループのそれぞれに属する前記所定の負荷に優先的に供給されるように、前記電力供給手段及び前記複数の負荷のうち少なくとも一方を時分割で制御する制御部とを備える。前記分類部は、前記時間間隔において消費される電力が所定閾値を超えないように、前記所定の負荷を前記複数のグループに分類する。
【００２５】
実施形態では、制御部は、所定の負荷に供給される電力を時分割で制御する。分類部は、時間間隔において消費される電力が所定閾値を超えないように、所定の負荷を複数のグループに分類する。
【００２６】
従って、供給電力が制限された状態であっても、優先順位が高い負荷（例えば、冷蔵庫など）に電力が全く供給されない状況を回避することができる。
【００２７】
第２の特徴に係る電力制御装置は、複数の需要家によって構成される需要家集合に対する、電力供給手段からの電力供給を制御する。電力制御装置は、前記複数の需要家を複数のグループに分類する分類部と、前記複数のグループのそれぞれに割当てられる時間間隔において、前記電力供給手段から供給される電力が、前記複数のグループのそれぞれに属する需要家に供給されるように、前記電力供給手段からの供給電力及び前記需要家における電力消費のうち少なくとも一方を時分割で制御する制御部とを備える。前記分類部は、前記時間間隔において消費される電力が所定閾値を超えないように、前記複数の需要家を前記複数のグループに分類する。
【００２８】
実施形態では、制御部は、需要家に供給される電力を時分割で制御する。分類部は、時間間隔において消費される電力が所定閾値を超えないように、複数の需要家を複数のグループに分類する。
【００２９】
従って、供給電力が制限された状態であっても、優先順位が高い負荷（例えば、冷蔵庫など）を有する需要家に電力が全く供給されない状況を回避することができる。
【００３０】
なお、本発明における「電力供給手段」とは、変電所から供給される電力、あるいは地域内あるいは需要家内で発電あるいは電力供給可能な太陽電池発電、風力発電、蓄電池、あるいはガスによって電力を生成するような燃料電池等を意味するものであり、それらを組み合わせたものであってもよい。以下の実施例では主に変電所から供給される電力、および太陽電池発電を用いた場合を例にして説明をする。
【００３１】
［第１実施形態］
（電力管理システム）
以下において、第１実施形態に係る電力管理システムの構成について、図面を参照しながら説明する。図１は、第１実施形態に係る電力管理システム１００を示す図である。
【００３２】
図１に示すように、電力管理システム１００は、需要家１０と、ＥＭＳ２０と、変電所３０と、スマートサーバ４０と、発電所５０とを有する。なお、需要家１０、ＥＭＳ２０、変電所３０及びスマートサーバ４０は、ネットワーク６０によって接続されている。
【００３３】
需要家１０は、太陽電池などの分散電源を有する。また、需要家１０は、分散電源として、蓄電池などの他の電力供給手段を有していてもよい。なお、需要家１０は、例えば、一戸建ての住宅であってもよく、マンションなどの集合住宅であってもよく、ビルなどの商用施設であってもよい。
【００３４】
第１実施形態では、複数の需要家１０によって、需要家群１０Ａ及び需要家群１０Ｂが構成されている。需要家群１０Ａ及び需要家群１０Ｂは、例えば、地理的な地域によって分類される。
【００３５】
ＥＭＳ２０は、複数の需要家１０と電力系統との間の連系を制御する。なお、ＥＭＳ２０は、複数の需要家１０を管理するため、ＣＥＭＳ（Ｃｌｕｓｔｅｒ  Ｅｎｅｒｇｙ  Ｍａｎａｇｅｍｅｎｔ  Ｓｙｓｔｅｍ）と称されることもある。具体的には、ＥＭＳ２０は、停電時などにおいて、複数の需要家１０と電力系統との間を解列する。一方で、ＥＭＳ２０は、復電時などにおいて、複数の需要家１０と電力系統との間を連系する。
【００３６】
第１実施形態では、ＥＭＳ２０Ａ及びＥＭＳ２０Ｂが設けられている。ＥＭＳ２０Ａは、例えば、需要家群１０Ａに含まれる需要家１０と電力系統との間の連系を制御する。ＥＭＳ２０Ｂは、例えば、需要家群１０Ｂに含まれる需要家１０と電力系統との間の連系を制御する。
【００３７】
変電所３０は、複数の需要家１０に対して、配電線３１を介して電力を供給する。具体的には、変電所３０は、発電所５０から供給される電圧を降圧する。
【００３８】
第１実施形態では、変電所３０Ａ及び変電所３０Ｂが設けられている。変電所３０Ａは、例えば、需要家群１０Ａに含まれる需要家１０に対して、配電線３１Ａを介して電力を供給する。変電所３０Ｂは、例えば、需要家群１０Ｂに含まれる需要家１０に対して、配電線３１Ｂを介して電力を供給する。
【００３９】
スマートサーバ４０は、複数のＥＭＳ２０（ここでは、ＥＭＳ２０Ａ及びＥＭＳ２０Ｂ）を管理する。また、スマートサーバ４０は、複数の変電所３０（ここでは、変電所３０Ａ及び変電所３０Ｂ）を管理する。言い換えると、スマートサーバ４０は、需要家群１０Ａ及び需要家群１０Ｂに含まれる需要家１０を統括的に管理する。スマートサーバ４０は、例えば、需要家群１０Ａに供給すべき電力と需要家群１０Ｂに供給すべき電力とのバランスを取る機能を有する。
【００４０】
発電所５０は、火力、風力、水力、原子力などによって発電を行う。発電所５０は、複数の変電所３０（ここでは、変電所３０Ａ及び変電所３０Ｂ）に対して、送電線５１を介して電力を供給する。
【００４１】
（需要家）
以下において、第１実施形態に係る需要家の構成について、図面を参照しながら説明する。図２は、第１実施形態に係る需要家１０の構成を示す図である。
【００４２】
図２に示すように、需要家１０は、電力供給手段を構成する太陽電池２００と、ＰＣＳ３００と、スマートメータ４００と、負荷群５００と、制御装置６００と、分電盤７００とを有する。また、需要家１０は、太陽電池２００と電力系統（配電線３１）との間の連系／解列を切り替えるスイッチ１２を有する。
【００４３】
なお、スイッチ１２がオフである場合に、需要家１０の状態は、太陽電池２００が電力系統（配電線３１）から解列された状態（以下、自立運転状態）である。一方で、スイッチ１２がオンである場合に、需要家１０の状態は、太陽電池２００が電力系統（配電線３１）に連系された状態（以下、連系状態）である。
【００４４】
太陽電池２００は、負荷群５００に電力を供給する電力供給手段の一例である。ここでは、太陽電池２００は、電力系統から解列された自立運転状態において、負荷群５００に電力を供給可能な自立型電力供給手段の一例である。
【００４５】
ＰＣＳ３００は、太陽電池２００を制御する装置（Ｐｏｗｅｒ  Ｃｏｎｄｉｔｉｏｎｉｎｇ  Ｓｙｓｔｅｍ）である。具体的には、ＰＣＳ３００は、昇圧回路２１０と、インバータ回路２２０とを有する。
【００４６】
昇圧回路２１０は、太陽電池２００及びインバータ回路２２０に接続される。昇圧回路２１０は、太陽電池２００から出力される電力の電圧を昇圧する。
【００４７】
インバータ回路２２０は、昇圧回路２１０に接続されており、スイッチ１２を介して電力系統（配電線３１）に接続される。インバータ回路２２０は、電力系統（配電線３１）から供給される交流電力を直流電力に変換する。インバータ回路２２０は、昇圧回路２１０から供給される直流電力を交流電力に変換する。
【００４８】
スマートメータ４００は、通信機能を有する電力メータである。具体的には、スマートメータ４００は、電力系統から供給される電力量を計測する。また、スマートメータ４００は、電力系統に供給する電力量（すなわち、逆潮流量）を計測する。なお、太陽電池２００の発電量は、ＰＣＳ３００で計測し、制御装置６００に通知される。
【００４９】
負荷群５００は、冷蔵庫、照明、エアコン、テレビなどの負荷である。なお、負荷群５００の種類は特に限定されるものではない。
【００５０】
制御装置６００は、スイッチ１２、ＰＣＳ３００、スマートメータ４００、負荷群５００に接続されており、これらの装置を制御する。
【００５１】
具体的には、制御装置６００は、図３に示すように、分類部６１０と、制御部６２０と、決定部６３０とを有する。
【００５２】
分類部６１０は、負荷群５００に含まれる所定の負荷を複数のグループに分類する。具体的には、分類部６１０は、複数のグループのそれぞれに割当てられた時間間隔において消費される電力が所定閾値を超えないように、所定の負荷を複数のグループに分類する。
【００５３】
なお、所定の負荷は、例えば、上述した冷蔵庫、照明、エアコン、あるいはテレビなどであり、任意に定めることが可能である。第１実施形態では、所定の負荷は、予め定められている。但し、後述するように、所定の負荷は、優先順位に基づいて選択されてもよい。
【００５４】
また、分類部６１０によって分類されるグループの数は、後述するように、決定部６３０によって決定されてもよい。或いは、分類部６１０によって分類されるグループの数は、予め定められていてもよい。
【００５５】
制御部６２０は、複数のグループのそれぞれに割当てられる時間間隔において、太陽電池２００から供給される電力が複数のグループのそれぞれに属する所定の負荷に供給されるように、太陽電池２００及び負荷群５００のうち少なくとも一方を時分割で制御する。
【００５６】
詳細には、制御部６２０は、各グループに属する負荷に電力が時分割で供給されるように、各グループに属する負荷に電力を供給する電力線に設けられたブレーカを時分割で制御する。すなわち、制御部６２０は、所定グループに割当てられた時間間隔において、所定グループに属する負荷に電力を供給する電力線に設けられたブレーカをオンにし、所定グループ以外の他のグループに属する負荷に電力を供給する電力線に設けられたブレーカをオフにする。なお、このようなブレーカは、図２に示すように、ＰＣＳ３００と負荷群５００及びスイッチ１２との間に、分電盤７００として設けられることに留意すべきである。本実施形態においては、分電盤７００で電力の経路を制御しているが、これが本発明の「電力供給手段の制御」を意味する制御である。或いは、制御部６２０は、各グループに属する負荷（負荷の電源や負荷の動作モード）を時分割で制御する。すなわち、制御部６２０は、所定グループに割当てられた時間間隔において、所定グループに属する負荷の電源をオンにし、所定グループ以外の他のグループに属する負荷の電源をオフにする。或いは、制御部６２０は、所定グループに割当てられた時間間隔において、所定グループに属する負荷の動作モードを通常動作モードに制御し、所定グループ以外の他のグループに属する負荷の動作モードを省消費電力に制御する。
【００５７】
決定部６３０は、分類部６１０によって分類されるグループの数を決定する。例えば、所定の負荷に対して第１電力が供給される第１期間及び所定の負荷に対して第１電力よりも低い第２電力が供給される第２期間が定められているケースについて例示する。ここで、第２期間は、負荷の動作モードとして省消費電力モードが適用される期間と考えてもよく、負荷の電源がオフになる期間と考えてもよい。
【００５８】
決定部６３０は、第１期間の長さ及び第２期間の長さに基づいて、分類部６１０によって分類されるグループの数を決定する。第１期間の長さ及び第２期間の長さは、所定の負荷の性質によって、予め定められていることが好ましい。例えば、所定の負荷に冷蔵庫が含まれるケースにおいて、第１期間が１時間であり、第２期間が２時間であるケースについて考える。このようなケースでは、時間間隔は１時間であり、グループ数は３である。なお、第２期間は、第１期間の整数倍であることが好ましいが、第１期間の整数倍に限定されるものではない。
【００５９】
（グループの分類例）
以下において、第１実施形態に係るグループの分類例について説明する。図４及び図５は、第１実施形態に係るグループの分類例を説明するための図である。所定の負荷を複数のグループに分類する処理は、負荷群５００に供給可能な電力が制限された状態（例えば、自立運転状態）で行われる。
【００６０】
図４及び図５において、所定の負荷が負荷＃１〜負荷＃３であるケースを例示する。所定の負荷は、負荷＃１〜負荷＃３以外の負荷を含んでもよいことは勿論である。
【００６１】
ここで、図４は、連系状態において、負荷＃１〜負荷＃３によって消費される電力（負荷＃１〜負荷＃３に供給される電力）を示している。一方で、図５は、自立運転状態において、負荷＃１〜負荷＃３によって消費される電力（負荷＃１〜負荷＃３に供給される電力）を示している。また、Ｔｈは、自立運転状態において、電力供給手段が供給可能な電力によって定められる閾値である。電力供給手段が太陽電池２００である場合には、Ｔｈが日射量によって可変であってもよく、電力供給手段が蓄電池等である場合には、Ｔｈがある程度一定の値であってもよい。
【００６２】
図４に示すように、連系状態では、電力系統から電力が供給されるため、負荷＃１〜負荷＃３に供給される電力は、閾値Ｔｈを超えている。
【００６３】
これに対して、図５に示すように、第１実施形態において、自立運転状態では、所定の負荷に対して時分割で電力が供給される。従って、各時間間隔（時間間隔ｔ１〜時間間隔ｔ３）において消費される電力が閾値Ｔｈを超えない。
【００６４】
（作用及び効果）
第１実施形態では、制御部６２０は、所定の負荷に供給される電力を時分割で制御する。分類部６１０は、時間間隔において消費される電力が所定閾値を超えないように、所定の負荷を複数のグループに分類する。
【００６５】
従って、供給電力が制限された状態（例えば、自立運転状態）であっても、優先順位が高い負荷（例えば、冷蔵庫など）に電力が全く供給されない状況を回避することができる。
【００６６】
［第２実施形態］
以下において、第２実施形態について説明する。以下においては、第１実施形態に対する相違点について主として説明する。
【００６７】
具体的には、第１実施形態では、所定の負荷を複数のグループに分類するケースについて例示した。これに対して、第２実施形態では、複数の需要家を複数のグループに分類するケースについて例示する。
【００６８】
第２実施形態において、上述した制御装置６００は、複数の需要家によって構成される需要家集合に設けられる。なお、需要家集合は、例えば、マンションなどの集合住宅である。
【００６９】
上述した分類部６１０は、複数の需要家を複数のグループに分類する。具体的には、分類部６１０は、複数のグループのそれぞれに割当てられた時間間隔において消費される電力が所定閾値を超えないように、複数の需要家を複数のグループに分類する。
【００７０】
上述した制御部６２０は、複数のグループのそれぞれに割当てられる時間間隔において、太陽電池２００から供給される電力が複数のグループのそれぞれに属する需要家に供給されるように、分電盤７００、太陽電池２００及び負荷群５００のうち少なくとも一方を時分割で制御する。本実施形態においては、分電盤７００で電力の経路を制御しているが、これが本発明の「電力供給手段の制御」を意味する制御である。
【００７１】
詳細には、制御部６２０は、各グループに属する負荷に電力が時分割で供給されるように、各グループに属する需要家に電力を供給する電力線に設けられたブレーカを時分割で制御する。すなわち、制御部６２０は、所定グループに割当てられた時間間隔において、所定グループに属する需要家に電力を供給する電力線に設けられたブレーカをオンにし、所定グループ以外の他のグループに属する需要家に電力を供給する電力線に設けられたブレーカをオフにする。なお、このようなブレーカは、電力供給手段の一部を構成するようにしてもよい。
【００７２】
或いは、需要家１０内の制御部は、電力が供給される時間間隔において、負荷の電源をオンにし、電力が供給されない時間間隔において負荷の電源をオフにする。
【００７３】
なお、需要家内においては、割当てられた時間において、第１実施形態のように所定の負荷の電源をオンにし、割当てられない時間において、所定の負荷の電源をオフにするように制御したり、負荷群５００の動作モードを省消費電力モードに制御したりして、需要家１０自体の消費電力を低減することがより有効である。そして、制御部６２０は、需要家１０が消費電力を低減した状態の電力に基づいてグループ分けすることにより、供給電力をより有効に活用することができるようになる。
【００７４】
上述した決定部６３０は、分類部６１０によって分類されるグループの数を決定する。例えば、需要家に対して第１電力が供給される第１期間及び需要家に対して第１電力よりも低い第２電力が供給される第２期間が定められているケースについて例示する。ここで、第２期間は、需要家に設けられる負荷の動作モードとして省消費電力モードが適用される期間と考えてもよく、需要家に電力が供給されない期間と考えてもよい。
【００７５】
決定部６３０は、第１期間の長さ及び第２期間の長さに基づいて、分類部６１０によって分類されるグループの数を決定する。なお、第１期間の長さ及び第２期間の長さは、各需要家に設けられる所定の負荷（例えば、冷蔵庫）の性質によって、予め定められていることが好ましい。さらに、需要家１０内のそれぞれの制御装置６００’（図２における制御装置６００）と需要家集合の制御装置６００とが連携し、制御装置６００が供給可能総電力量に基づきそれぞれの制御装置６００’に使用可能な電力量を通知し、制御装置６００’が通知された電力量を超えないように分電盤７００や負荷群５００を制御するようにすることも好ましい。
【００７６】
（グループの分類例）
以下において、第２実施形態に係るグループの分類例について説明する。図６及び図７は、第２実施形態に係るグループの分類例を説明するための図である。複数の需要家を複数のグループに分類する処理は、負荷群５００に供給可能な電力が制限された状態（例えば、自立運転状態）で行われる。
【００７７】
図６及び図７において、複数の需要家が需要家＃１〜需要家＃９であるケースを例示する。
【００７８】
ここで、図６は、自立運転状態において、グループの分類が適切に行われないケースを示している。一方で、図７は、自立運転状態において、グループの分類が適切に行われるケースを示している。なお、Ｔｈは、自立運転状態において、電力供給手段を構成する太陽電池２００が供給可能な電力によって定められる閾値である。
【００７９】
図６に示すように、複数の需要家に割り振られた番号などに基づいて、複数の需要家が複数のグループに分類されると、消費電力が閾値Ｔｈを超える時間間隔（図６では、時間間隔ｔ２）が存在する。
【００８０】
これに対して、図７に示すように、第２実施形態では、複数のグループのそれぞれに割当てられた時間間隔において消費される電力が所定閾値を超えないように、複数の需要家が複数のグループに分類される。従って、消費電力が閾値Ｔｈを超える時間間隔が存在しない。
【００８１】
（作用及び効果）
第２実施形態では、制御部６２０は、需要家に供給される電力を時分割で制御する。分類部６１０は、時間間隔において消費される電力が所定閾値を超えないように、複数の需要家を複数のグループに分類する。
【００８２】
従って、供給電力が制限された状態（例えば、自立運転状態）であっても、優先順位が高い負荷（例えば、冷蔵庫など）を有する需要家に電力が全く供給されない状況を回避することができる。
【００８３】
［変更例１］
以下において、第１実施形態及び第２実施形態の変更例１について説明する。以下においては、第１実施形態及び第２実施形態に対する相違点について主として説明する。なお、変更例１は、第１実施形態及び第２実施形態の双方に適用可能であることに留意すべきである。
【００８４】
具体的には、変更例１では、負荷群５００に含まれる負荷に優先順位が割当てられている。自立運転状態において電力を供給すべき所定の負荷は、優先順位に基づいて選択される。
【００８５】
（制御装置）
以下において、変更例１に係る制御装置の構成について、図面を参照しながら説明する。図８は、変更例1に係る制御装置６００を示すブロック図である。
【００８６】
図８に示すように、制御装置６００は、図３に示す構成に加えて、選択部６４０を有する。
【００８７】
選択部６４０は、負荷群５００の中から、優先順位に基づいて、自立運転状態において電力を供給すべき所定の負荷を選択する。
【００８８】
例えば、図９に示すように、第１実施形態の場合において、最も高い優先順位が冷蔵庫に割当てられており、２番目に高い優先順位が照明に割当てられており、３番目に高い優先順位がエアコンに割当てられているケースについて説明する。
【００８９】
このようなケースにおいて、選択部６４０は、電力供給手段を構成する太陽電池２００が供給可能な電力（供給可能電力）に応じて、優先順位が高い順に、自立運転状態において電力を供給すべき所定の負荷を選択する。
【００９０】
例えば、供給可能電力がＡｋｗ以上である場合には、選択部６４０は、冷蔵庫を所定の負荷として選択する。供給可能電力がＢｋｗ以上である場合には、選択部６４０は、冷蔵庫及び照明を所定の負荷として選択する。供給可能電力がＣｋｗ以上である場合には、選択部６４０は、冷蔵庫、照明及びエアコンを所定の負荷として選択する。
【００９１】
なお、このようなケースにおいて、選択部６４０は、各負荷の動作モードを考慮して、所定の負荷を選択してもよい。例えば、選択部６４０は、各負荷に省消費電力モードを適用することを前提として、所定の負荷を選択してもよい。
【００９２】
（グループの分類例）
以下において、変更例１に係るグループの分類例について説明する。図１０は、変更例１に係るグループの分類例を説明するための図である。
【００９３】
図１０に示すように、太陽電池２００が供給可能な電力によって定まる閾値がＴｈ１である場合には、優先順位が最も高い負荷（負荷＃１Ａ〜負荷＃１Ｃ）が所定の負荷として選択される。また、太陽電池２００が供給可能な電力によって定まる閾値がＴｈ２である場合には、優先順位が最も高い負荷（負荷＃１Ａ〜負荷＃１Ｃ）及び優先順位が次に高い負荷（負荷＃２Ａ〜負荷＃２Ｃ）が所定の負荷として選択される。
【００９４】
（作用及び効果）
変更例２では、選択部６４０は、負荷群５００の中から、優先順位に基づいて、自立運転状態において電力を供給すべき所定の負荷を選択する。従って、優先順位が高い負荷（例えば、冷蔵庫など）に対して優先的に電力を供給することができる。
【００９５】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００９６】
実施形態では特に触れていないが、負荷群５００は、所定の負荷以外の負荷を含んでいてもよいことに留意すべきである。すなわち、負荷群５００は、リビング・台所以外の照明、食器洗浄機、便座の暖房等の電力が全く供給されない負荷を含んでもよい。さらには、負荷群５００として蓄熱器等を含んでいても良い。
【００９７】
実施形態では、供給電力が制限された状態として、停電となり地域内あるいは需要家内の電力供給手段を用いて自立運転を行われる自立運転状態で、地域内あるいは需要家内の太陽電池２００による電力が供給される状態を例示した。しかしながら、実施形態は、これに限定されるものではない。例えば、供給電力が制限された状態は、供給電力よりも需要電力が上回らないように電力系統から供給される電力が制限された状態であってもよい。すなわち、電力供給手段が電力系統であってもよい。
【００９８】
実施形態では特に触れていないが、制御装置６００は、ＥＭＳ２０やスマートサーバ４０に設けられていてもよい。
【００９９】
実施形態では特に触れていないが、第１実施形態及び第２実施形態を組み合わせてもよい。例えば、第２実施形態に基づいて、各需要家に対して供給される電力が時分割で制御され、かつ、第１実施形態に基づいて、各需要家に設けられる負荷に対して供給される電力が時分割で制御されてもよい。
【０１００】
第２実施形態では、需要家集合として、マンションなどの集合住宅を例示した。しかしながら、実施形態は、これに限定されるものではない。例えば、需要家集合は、工場、学校などの施設であってもよく、所定地域に存在する需要家の集合であってもよい。
【０１０１】
第２実施形態では特に触れていないが、分類部６１０は、複数の需要家のうち、人が存在していない需要家（留守宅）を考慮して、複数の需要家を複数のグループに分類してもよい。例えば、分類部６１０は、留守宅を除外して、或いは、留守宅と在宅を同じグループに混ざるようにして、複数の需要家を複数のグループに分類してもよい。或いは、分類部６１０は、電力を供給する時間間隔の割当て頻度として、留守宅以外の通常宅よりも低い頻度を留守宅に割当ててもよい。
【０１０２】
第２実施形態では特に触れていないが、制御部６２０は、複数の需要家のうち、人が存在していない需要家（留守宅）を考慮して、電力供給手段から供給される電力を時分割で制御してもよい。例えば、制御部６２０は、留守宅以外の通常宅に対して供給する電力よりも低い電力を留守宅に供給するように、電力供給手段及び負荷群５００の少なくとも一方を時分割で制御してもよい。
【０１０３】
第２実施形態では特に触れていないが、分類部６１０は、複数の需要家の電力消費パターンに基づいて、複数の需要家を複数のグループに分類してもよい。例えば、分類部６１０は、電力を供給する時間間隔の割当て頻度として、消費電力が少ない需要家よりも高い頻度を消費電力が多い需要家に割当てて、留守宅と在宅を同じグループに混ざるようにして、或いは、消費電力が昼に多い需要家と夜に多い需要家を同じグループに混ざるようにしてもよい。
【０１０４】
なお、電力消費パターンは、昼間に電力消費が多い昼型パターン、夜間に消費電力が多い夜型パターンなどである。また、消費電力が少ない需要家に対する時間間隔の割当て頻度は、“０”であってもよい。
【０１０５】
第２実施形態では特に触れていないが、制御部６２０は、複数の需要家の電力消費パターンに基づいて、電力供給手段から供給される電力を時分割で制御してもよい。例えば、制御部６２０は、消費電力が少ない需要家よりも高い電力を消費電力が多い需要家に供給するように、電力供給手段及び負荷群５００の少なくとも一方を時分割で制御してもよい。
【０１０６】
変更例１では特に触れていないが、所定の負荷の全てを複数のグループに分類しなくてもよい。例えば、優先順位が最も高い負荷については複数のグループに分類せずに、全ての時間間隔において、優先順位が最も高い負荷に電力が供給されてもよい。ここで、優先順位が２番目に高い負荷については複数のグループに分類して、優先順位が２番目に高い負荷に時分割で電力が供給されてもよい。例えば、継続して電力供給する必要がある負荷、あるいは断続運転で起動電力を発生させるよりも継続運転の方が電力抑制される負荷については優先順位が最も高い負荷として時分割で制御せず、閾値Ｔｈからこれらの電力を差し引いた電力に対して、上述の時分割で制御を行うようにすればよい。
【０１０７】
さらに、本発明においては、「優先的に供給する」としており、優先される負荷や需要家に供給してもまだ供給電力量に余裕がある場合には、優先される負荷や需要家への電力量を増やしたり、優先されていない負荷や需要家への電力を供給したりするように制御してもよい。
【符号の説明】
【０１０８】
１０…需要家、１２…スイッチ、２０…ＥＭＳ、３０…変電所、３１…配電線、４０…スマートサーバ、５０…発電所、５１…送電線、６０…ネットワーク、１００…電力管理システム、２００…太陽電池（電力供給手段）、３００…ＰＣＳ、３１０…昇圧回路、３２０…インバータ回路、４００…スマートメータ、５００…負荷群、６００…制御装置、６１０…分類部、６２０…制御部、６３０…決定部、６４０…選択部、７００…分電盤
【図１】
0005659071.tif 000002
【図２】
0005659071.tif 000003
【図３】
0005659071.tif 000004
【図４】
0005659071.tif 000005
【図５】
0005659071.tif 000006
【図６】
0005659071.tif 000007
【図７】
0005659071.tif 000008
【図８】
0005659071.tif 000009
【図９】
0005659071.tif 000010
【図１０】
0005659071.tif 000011